(57)【要約】【課題】移動通信システムにおいて簡易且つ速やかに安定したハンドオーバ制御を行うこと。【解決手段】移動通信システムは、１以上の基地局と１以上の基地局及びコアネットワークに接続された上位装置とを有する。上位装置は、無線リンクを確立するのに必要な無線リンク情報を管理する機能部と、無線リンク情報を基地局に通知する機能部とを有する。  １以上の基地局の各々は、上位装置から通知された無線リンク情報に基づいて移動局との間で無線リンクを確立する機能部と、無線リンク確立後の移動局の状態を示す状態情報を上位装置に通知する機能部とを有する。【選択図】図２
2007295207.tif 000002
【特許請求の範囲】
【請求項１】
１以上の基地局と１以上の基地局及びコアネットワークに接続された上位装置とを有する移動通信システムにおいて、
前記上位装置は、無線リンクを確立するのに必要な無線リンク情報を管理する機能部と、無線リンク情報を基地局に通知する機能部とを有し、
前記１以上の基地局の各々は、前記上位装置から通知された無線リンク情報に基づいて移動局との間で無線リンクを確立する機能部と、無線リンク確立後の移動局の状態を示す状態情報を上位装置に通知する機能部とを有する
ことを特徴とする移動通信システム。
【請求項２】
前記無線リンク情報は、状態情報に加えて、無線リンクを確立する際のポリシーを示す無線リンク構成情報も含む
ことを特徴とする請求項１記載の移動通信システム。
【請求項３】
前記無線リンク構成情報は、ユーザによる契約内容を示す情報、サービス種別を示すサービス情報、サービス品質（QoS）を示す情報及びセキュリティに関するセキュリティ情報の１つ以上を含む
ことを特徴とする請求項２記載の移動通信システム。
【請求項４】
前記状態情報は、移動局が待ち受け時にバッテリセービング状態であるか否かを示す情報及び１以上のレイヤのプロトコル状態を示す情報の１つ以上を含む
ことを特徴とする請求項２記載の移動通信システム。
【請求項５】
１以上の基地局及びコアネットワークに接続された上位装置を有する移動通信システムで使用されるハンドオーバ方法であって、前記上位装置は、無線リンクを確立する際のポリシーを示す無線リンク構成情報を管理し、当該ハンドオーバ方法は、
無線リンクの確立後に変化する移動局の状態を示す状態情報が、ハンドオーバ元基地局から前記上位装置に通知されるステップと、
前記状態情報及び無線リンク構成情報を含む無線リンク情報が、前記上位装置からハンドオーバ先基地局に通知されるステップと、
前記上位装置から通知された無線リンク情報に基づいて、ハンドオーバ先基地局及び移動局の間で無線リンクが確立されるステップと、
を有することを特徴とするハンドオーバ方法。
【発明の詳細な説明】
【技術分野】
【０００１】
本発明は、基地局及び基地局を集約する上位装置から構成される移動通信システム及びハンドオーバ方法に関連する。
【背景技術】
【０００２】
パーソナルディジタルセルラ（PDC）システムやFOMA(登録商標)システムのような従来の移動通信システムでは、呼接続やハンドオーバ等の移動局制御は、複数の基地局を制御する上位装置で行われる。上位装置は例えば無線ネットワークコントローラ（RNC）である。この方式では、複数セルで構成されるエリア内で移動局が高速に移動したとしても、同一の上位装置でハンドオーバ制御が行われる。従って高速移動時でも簡易で安定したハンドオーバ制御を行うことができる。この種の移動通信システムについては例えば非特許文献１に記載されている。
【０００３】
しかしながらこの手法では、ハンドオーバに関する制御は全て上位装置で行われるので、基地局を変更しないハンドオーバでも上位装置が制御を行うことになる。従ってこの手法はハンドオーバを速やかに行う観点からは必ずしも有利ではない。特に同一基地局に属するセクタ間のハンドオーバが行われるような場合には、制御遅延が問題視されるかもしれない。
【０００４】
一方、呼接続の時間短縮化等の観点からは、上位装置によらずに基地局が呼接続やハンドオーバを制御することも考えられる。しかしながらその手法では基地局間ハンドオーバが必要とされる毎に、ハンドオーバの制御起点が移行元基地局から移行先基地局へ移されなければならない。そのため、制御信号量及び制御負担が大きくなるので、この手法は簡易且つ安定的な制御を行う観点からは有利でない。
【０００５】
近年では移動通信サービスの対象は拡大しつつあり、例えば屋内移動通信のような移動性は低いが高スループットが要求されることも予想されるし、自動販売機のような移動性が極めて低い場合でさえも移動通信サービスの対象になりつつある。従って様々な移動体を含むシステムで効果的なハンドオーバが行われることが望まれる。
【非特許文献１】3GPP標準化仕様書TS25.331,TS25.401
【発明の開示】
【発明が解決しようとする課題】
【０００６】
本発明の課題は、簡易且つ速やかに安定したハンドオーバ制御を行う移動通信システム及びハンドオーバ方法を提供することである。
【課題を解決するための手段】
【０００７】
本発明では、１以上の基地局と１以上の基地局及びコアネットワークに接続された上位装置とを有する移動通信システムが使用される。前記上位装置は、無線リンクを確立するのに必要な無線リンク情報を管理する機能部と、無線リンク情報を基地局に通知する機能部とを有する。前記１以上の基地局の各々は、前記上位装置から通知された無線リンク情報に基づいて移動局との間で無線リンクを確立する機能部と、無線リンク確立後の移動局の状態を示す状態情報を上位装置に通知する機能部とを有する。
【発明の効果】
【０００８】
本発明によれば、簡易且つ速やかに安定したハンドオーバ制御を行うことができる。
【発明を実施するための最良の形態】
【０００９】
本発明では、複数の基地局と複数の基地局を集約する上位装置とを有する移動通信システムが使用される。上位装置は無線リンクを確立するために必要な無線リンク情報を管理する機能に加えて、無線リンク情報を基地局に通知する機能を有する。基地局は上位装置から通知された無線リンク情報に基づいて無線リンクの構成パラメータを決定し、移動局との間で無線リンクを確立し維持する機能を有する。
【００１０】
このような移動通信システムにおいて、上位装置は接続中の移動局の無線リンク構成情報を管理している。基地局間ハンドオーバが必要とされる場合に、ハンドオーバ元基地局は、ハンドオーバ時の状態情報（無線リンク確立後に変化し得る移動局の状態を示す情報）を上位装置に通知する。上位装置は通知された状態情報及び無線リンク構成情報（無線リンクを確立する際のポリシーを示す情報）を含む無線リンク情報をハンドオーバ先基地局に通知する。ハンドオーバ制御には無線リンク構成情報及び状態情報双方の最新情報（最新の無線リンク情報）が必要である。ハンドオーバ先基地局は、通知された最新の無線リンク情報に基づいて無線リンクの構成パラメータを決定し、移動局との間で無線リンクを確立する。無線リンク情報の内、無線リンク構成情報は上位装置で管理されるので、基地局で管理しなくてよい。従って基地局間ハンドオーバの際に無線リンク構成情報が、基地局から上位装置へ及び基地局間で転送されることを要しない。このため、基地局間ハンドオーバ時の制御信号量及び制御負担が軽減される。
【００１１】
一方、同一基地局でのハンドオーバでは、その基地局は状態情報を上位装置に報告しなくてよい。基地局は記憶済みの無線リンク構成情報及び最新の状態情報に基づいて、セル内ハンドオーバを行う。基地局を跨らない同一セル内でのハンドオーバはその基地局に閉じて実行可能である。
【実施例１】
【００１２】
図１は本発明の一実施例による移動通信システム100の構成例を示す。移動通信システムは、移動局101、基地局102、上位装置103及びネットワーク104を有する。
【００１３】
基地局102は無線リンクを確立及び維持し、移動局101と無線通信を行う機能を有する。基地局は上位装置103と有線通信を行う機能も有する。基地局102は有線区間及び無線区間でのユーザデータの中継を行う。呼接続及びハンドオーバ等の制御に関し、基地局102は少なくとも同一基地局配下でのハンドオーバを制御する機能を有する。基地局102は上位装置と無線リンク情報（無線リンクの確立に必要な情報）をやり取りすることで、移動局との間で無線リンクを確立する。
【００１４】
上位装置103は複数の基地局102を制御する機能を有し、無線ネットワークコントローラ(RNC)で構成されてもよい。無線基地局102及びRNCは全体として無線アクセスネットワーク装置（RAN）とも呼ばれる。上位装置103は基地局102及びネットワーク104の間でユーザデータの中継を行う。上位装置は無線リンク情報を管理し、必要に応じて基地局102と無線リンク情報を通信する。
【００１５】
ネットワーク104は例えばインターネットプロトコル（IP）に基づくネットワークであり、加入者情報管理装置及びサービス制御装置等を含むコアネットワークに接続されている。
【００１６】
図２は本発明の一実施例による無線アクセス装置の機能ブロック図を示す。無線アクセス装置は上位装置及び基地局装置を含む。図２には上位装置内に、無線リンク情報管理部201及び無線リンク情報通知部204が描かれている。上位装置は、無線リンク情報管理部201で管理される無線リンク情報に基づいて、移動局の管理を行う。無線リンク情報は無線リンク構成情報202と状態情報203とを含む。
【００１７】
図３は無線リンク構成情報及び状態情報の具体例を示す。無線リンク構成情報は、無線リンクの確立に必要なポリシー（条件又は指針と呼んでもよい）を示す。この情報は移動局、加入者情報管理装置及びサービス制御装置等から収集される。無線リンク構成情報は、例えば、ユーザの契約形態に関する契約情報、ユーザが受けるサービスに関するサービス情報、通信に要求されるサービス品質（QoS）情報、ユーザに適用される認証方法や秘匿鍵等に関するセキュリティ情報等を含んでもよい。これら例示的に列挙された情報の区分けは厳密なものではない点に留意を要する。また、これらの情報は頻繁には変更されない半固定的な性質を有する。無線リンク構成情報は、無線リンク確立前に決定されている情報でもある。
【００１８】
状態情報は、無線リンクの確立後に変化し得る移動局又は無線リンクの状態を示す。状態情報は、例えば移動局がバッテリセービング用の動作モード（間欠受信状態）にあるか否かを示す情報を含んでよい。また、状態情報は再送プロトコルの送達確認（ACK,NACK）等のような各レイヤのプロトコル状態を示す情報等を含んでよい。状態情報は無線リンク構成情報に比較して頻繁に変化するので、状態情報の管理は基地局で行われる。従って上位装置で記憶される状態情報は、基地局から通知された状態情報で更新される。
【００１９】
図２には基地局内に無線リンク確立＆維持部205及び状態情報通知部206が描かれている。無線リンク確立＆維持部205は、上位装置からの無線リンク情報に基づいて、無線リンクを構成するための具体的パラメータを決定し、移動局との間で無線リンクを確立する。状態情報通知部206は、必要に応じて（典型的には、その基地局が基地局間ハンドオーバの移行元になった場合に）、無線リンク情報（状態情報）を上位装置に通知する。
【００２０】
［動作例１］
移動局が基地局に新規に接続される場合、その旨が上位装置に通知される。上位装置はその移動局に関する無線リンク情報（無線リンク構成情報）を基地局に通知する。基地局は通知された無線リンク情報に基づいて、無線リンクを構成するための具体的パラメータを決定し、移動局との間で無線リンクを確立する。これにより無線通信に使用されるリソースブロック（周波数）やサブフレーム等がスケジューリングされる。以後基地局は状態情報を管理し、必要に応じてそれを上位装置に報告する。
【００２１】
［動作例２］
図４は基地局間ハンドオーバの手順を示す図である。先ず、ハンドオーバ元基地局（HO元基地局）は基地局間ハンドオーバのトリガの有無を判定する。基地局間ハンドオーバが必要であることが確認されると、その旨が上位装置に通知される。この場合HO元基地局はその移動局に関する状態情報を上位装置に通知する（１）。上位装置はその移動局に関する状態情報を、基地局から通知された状態情報で更新する（２）。上位装置は移動局に関する無線リンク構成情報と更新後の状態情報とを含む無線リンク情報を、ハンドオーバ先基地局（HO先基地局）に通知する（３）。HO先基地局は、上位装置から通知された無線リンク情報に従って無線リンクの各種パラメータを設定し、その移動局に関する無線リンクを確立する（４）。
【００２２】
同一基地局でのハンドオーバが必要であることが基地局で確認された場合には、状態情報の上位装置への報告は行われない。移動局に関する無線リンク構成情報は、少なくともその移動局が基地局と接続した際に上位装置から基地局に通知されている。従って同一基地局内でのハンドオーバの際、上位装置は改めて無線リンク構成情報を基地局に通知しなくてよい。基地局は記憶済みの無線リンク構成情報及び自らが管理している状態情報を用いて、基地局を変更しないハンドオーバを行うことができる。
【００２３】
このように本発明の一実施例によれば、無線リンクの確立に必要な情報（無線リンク情報）のうち、無線リンク構成情報については上位装置が管理しているので、基地局間ハンドオーバ時に無線リンク構成情報を基地局間で転送しなくて済む。ダイナミックに変化する状態情報が基地局間で転送されればよい。無線リンク確立＆維持部205が基地局に用意されているので、基地局を跨らないハンドオーバの場合は上位装置が関与する必要はなく、同一基地局に閉じてハンドオーバ制御を完了することができ、制御遅延を効果的に抑制することができる。
【図面の簡単な説明】
【００２４】
【図１】本発明の一実施例による移動通信システムの構成例を示す図である。
【図２】本発明の一実施例による無線アクセス装置の機能ブロック図である。
【図３】無線リンク情報の具体例を示す図である。
【図４】基地局間ハンドオーバの手順を示す図である。
【符号の説明】
【００２５】
101  移動局
102  基地局
103  上位装置
104  ネットワーク
201  無線リンク情報管理部
202  無線リンク構成情報
203  状態情報
204  無線リンク情報通知部
205  無線リンク確立＆維持部
206  状態情報通知部
【図１】
2007295207.tif 000003
【図２】
2007295207.tif 000004
【図３】
2007295207.tif 000005
【図４】
2007295207.tif 000006